(57)【要約】      （修正有）【課題】ゲートボール用スティックヘッドとボールが互いに衝突することなく簡単に保管することができるゲートボール用スティックヘッドおよびボールホルダーを提供する。【解決手段】ゲートボール用スティックヘッドおよびボールホルダー１は、台座１１上に、ゲートボール用スティック２のシャフト２１に対し着脱可能なゲートボール用スティックヘッド２２を着脱可能に係止するヘッド係止部１２と、ゲートボール用のボール３を着脱可能に係止するボール係止部１３とを備えたことを特徴とする。【選択図】図５
0003200712.tif 000002
【実用新案登録請求の範囲】
【請求項１】
台座上に、ゲートボール用スティックのシャフトに対し着脱可能なゲートボール用スティックヘッドを着脱可能に係止するヘッド係止部と、ゲートボール用のボールを着脱可能に係止するボール係止部とを備えたことを特徴とするゲートボール用スティックヘッドおよびボールホルダー。
【請求項２】
請求項１記載のゲートボール用スティックヘッドおよびボールホルダーにおいて、
前記ヘッド係止部は、
ゲートボール用スティックヘッドの幅ないしはそれ以上の幅で前記台座から立設する一対のヘッド係止部用側壁と、
その一対のヘッド係止部用側壁それぞれから内側に向かって延び、それらの先端部間の間隔が、ゲートボール用スティックのシャフトとゲートボール用スティックヘッドとを連結するシャフト・ヘッド連結部の外径とほぼ同じか、その外径よりもわずかだけ大きい一対のヘッド係止部用上壁とを有することを特徴とするゲートボール用スティックヘッドおよびボールホルダー。
【請求項３】
請求項２記載のゲートボール用スティックヘッドおよびボールホルダーにおいて、
前記一対のヘッド係止部用上壁の先端部には、それぞれ、中央の直線部と、その左右両側に傾斜辺部とが形成されることにより、先端部間の間隔が中央程、幅が狭く、左右両側に向かってその間隔を大きくなるように形成されていることを特徴とするゲートボール用スティックヘッドおよびボールホルダー。
【請求項４】
請求項１〜請求項３のいずれか一の請求項に記載のゲートボール用スティックヘッドおよびボールホルダーにおいて、
前記ボール係止部は、
ボールよりも狭い幅で前記台座から立設する一対の略コ字状部材からなり、
前記台座における一対の略コ字状部材の間には、ボールの外径よりも径が小さいボール支持孔が形成されていることを特徴とするゲートボール用スティックヘッドおよびボールホルダー。
【請求項５】
請求項４記載のゲートボール用スティックヘッドおよびボールホルダーにおいて、
前記台座の底面の隅には、前記ボール支持孔にボールが置かれても、そのボールが地面に着かないような高さの複数の突部が設けられていることを特徴とするゲートボール用スティックヘッドおよびボールホルダー。
【考案の詳細な説明】
【技術分野】
【０００１】
本考案は、ゲートボール用スティックヘッドおよびボールを着脱可能に留めるゲートボール用スティックヘッドおよびボールホルダーに関するものである。
【背景技術】
【０００２】
ゲートボール用スティックのシャフトおよびヘッドは、従来は、木製で一体式に構成されていたが、近年は、シャフトおよびヘッドが取外し可能に構成され、ポールアンテナのようにシャフトの方は伸長式に構成され、携帯に便利に構成されている（例えば、特許文献１，２参照。）。
【先行技術文献】
【特許文献】
【０００３】
【特許文献１】実用新案登録第３００３１３２号公報
【特許文献２】実用新案登録第２５００９３５号公報
【考案の概要】
【考案が解決しようとする課題】
【０００４】
ところで、ゲートボールは、ルール上、通常、５人対５人のチーム対向形式で行われ、先攻チームは赤色のボール、後攻チームは白色のボールをそれぞれ５個ずつ使用して行う。
【０００５】
ゲートボールで使用する用具の中で、ゲートボール用スティックのヘッドとボールは、重量が嵩むと共に、土のコート上を擦ったり走ったり、ボールに至っては靴で踏んでプレイする場合もあり汚れるため、ゲートボール用スティックのシャフトとは別に保管している。
【０００６】
しかしながら、従来、ゲートボール用スティックのヘッドとボール専用の保管具がなかったので、各自が適当な袋等に入れて保管していたものの、衝突して破損することもあり、ゲートボール用スティックのヘッドとボール専用の保管具が望まれていた。
【０００７】
そこで、本考案はこのような問題点に鑑みなされたもので、ゲートボール用スティックヘッドとボールが互いに衝突することなく簡単に保管することができるゲートボール用スティックヘッドおよびボールホルダーを提供することを目的とする。
【課題を解決するための手段】
【０００８】
前記目的を達成するため、本考案に係るゲートボール用スティックヘッドおよびボールホルダーは、台座上に、ゲートボール用スティックのシャフトに対し着脱可能なゲートボール用スティックヘッドを着脱可能に係止するヘッド係止部と、ゲートボール用のボールを着脱可能に係止するボール係止部とを備えたことを第１の特徴とする。
また、本考案に係るゲートボール用スティックヘッドおよびボールホルダーは、前記ゲートボール用スティックヘッドおよびボールホルダーにおいて、前記ヘッド係止部は、ゲートボール用スティックヘッドの幅ないしはそれ以上の幅で前記台座から立設する一対のヘッド係止部用側壁と、その一対のヘッド係止部用側壁それぞれから内側に向かって延び、それらの先端部間の間隔が、ゲートボール用スティックのシャフトとゲートボール用スティックヘッドとを連結するシャフト・ヘッド連結部の外径とほぼ同じか、その外径よりもわずかだけ大きい一対のヘッド係止部用上壁とを有することを第２の特徴とする。
また、本考案に係るゲートボール用スティックヘッドおよびボールホルダーは、前記ゲートボール用スティックヘッドおよびボールホルダーにおいて、前記一対のヘッド係止部用上壁の先端部には、それぞれ、中央の直線部と、その左右両側に傾斜辺部とが形成されることにより、先端部間の間隔が中央程、幅が狭く、左右両側に向かってその間隔を大きくなるように形成されていることを第３の特徴とする。
また、本考案に係るゲートボール用スティックヘッドおよびボールホルダーは、前記ゲートボール用スティックヘッドおよびボールホルダーにおいて、前記ボール係止部は、ボールよりも狭い幅で前記台座から立設する一対の略コ字状部材からなり、前記台座における一対の略コ字状部材の間には、ボールの外径よりも径が小さいボール支持孔が形成されていることを第４の特徴とする。
また、本考案に係るゲートボール用スティックヘッドおよびボールホルダーは、前記ゲートボール用スティックヘッドおよびボールホルダーにおいて、前記台座の底面の隅には、前記ボール支持孔にボールが置かれても、そのボールが地面に着かないような高さの複数の突部が設けられていることを第５の特徴とする。
【考案の効果】
【０００９】
本考案に係るゲートボール用スティックヘッドおよびボールホルダーでは、台座上に、ゲートボール用スティックのシャフトに対し着脱可能なゲートボール用スティックヘッドを着脱可能に係止するヘッド係止部と、ゲートボール用のボールを着脱可能に係止するボール係止部とを備えたため、ゲートボール用スティックヘッドとボールが互いに衝突することなく簡単に保管することができる。
【図面の簡単な説明】
【００１０】
【図１】本考案に係る実施形態のゲートボール用スティックヘッドおよびボールホルダーの平面図である。
【図２】本考案に係る実施形態のゲートボール用スティックヘッドおよびボールホルダーの正面図である。
【図３】本考案に係る実施形態のゲートボール用スティックヘッドおよびボールホルダーの右側面図である。
【図４】図１におけるＡ−Ａ線断面図である。
【図５】本考案に係る実施形態のゲートボール用スティックヘッドおよびボールホルダーにゲートボール用スティックヘッドとボールとをセットした状態（※シャフトを切り離していない状態）を示す平面図である。
【図６】本考案に係る実施形態のゲートボール用スティックヘッドおよびボールホルダーにゲートボール用スティックヘッドとボールとをセットした状態（※シャフトを切り離していない状態）を示す正面図である。
【図７】本考案に係る実施形態のゲートボール用スティックヘッドおよびボールホルダーであって一対のヘッド係止部用上壁の先端部間の間隔を広くした他の例の平面図である。
【図８】本考案に係る実施形態のゲートボール用スティックヘッドおよびボールホルダーであって一対のヘッド係止部用上壁の先端部間の間隔を広くした他の例の正面図である。
【図９】本考案に係る実施形態のゲートボール用スティックヘッドおよびボールホルダーであって一対のヘッド係止部用上壁の先端部間の間隔を広くした他の例に、ゲートボール用スティックヘッドとボールとをセットした状態（※シャフトを切り離していない状態）を示す正面図である。
【図１０】本考案に係る実施形態のゲートボール用スティックヘッドおよびボールホルダーであって一対のヘッド係止部用上壁の先端部間の間隔を狭くした他の例の平面図である。
【図１１】本考案に係る実施形態のゲートボール用スティックヘッドおよびボールホルダーであって一対のヘッド係止部用上壁の先端部間の間隔を狭くした他の例の正面図である。
【図１２】本考案に係る実施形態のゲートボール用スティックヘッドおよびボールホルダーであって一対のヘッド係止部用上壁の先端部間の間隔を狭くした他の例に、ゲートボール用スティックヘッドとボールとをセットした状態（※シャフトを切り離していない状態）を示す正面図である。
【考案を実施するための形態】
【００１１】
以下、本考案に係る実施形態のゲートボール用スティックヘッドおよびボールホルダーについて、図面を参照して説明する。
【００１２】
本考案に係る実施の形態のゲートボール用スティックヘッドおよびボールホルダー（以下、単にホルダーと略す場合あり。）１は、図１〜図４に示すように、台座１１上に、ゲートボール用スティック２のシャフト２１に対し着脱可能なゲートボール用スティックヘッド２２を着脱可能に係止するヘッド係止部１２と、ゲートボール用のボール３を２個、着脱可能に係止する２つのボール係止部１３とを備えている。
【００１３】
尚、ゲートボール用スティック２は、シャフト２１とゲートボール用スティックヘッド２２とが着脱可能に構成したものが主流で、シャフト２１の先端部（下端部）に設けられた回転式のシャフト・ヘッド連結部２３の内側に設けられたネジ溝を、ゲートボール用スティックヘッド２２の長手方向中央に設けられたネジ山に螺合させて連結する構造となっている。尚、シャフト２１は、伸縮しないワンピースでも、あるいは伸縮する２段のツーピース、さらには３段のスリーピース以上でも良く、その上端部には、グリップが設けられている。
【００１４】
ホルダー１の台座１１は、１つのゲートボール用スティックヘッド２２と、赤、白２個のボール３を着脱可能に係止できるようにほぼ正方形の合成樹脂板やアルミやステンレス等の錆び難い金属等の軽量部材から構成されている。
【００１５】
ヘッド係止部１２は、ゲートボール用スティックヘッド２２の幅ないしはそれ以上の幅で台座１１から立設する一対のヘッド係止部用側壁１２ａ１，１２ａ１と、その一対のヘッド係止部用側壁１２ａ１，１２ａ１それぞれから内側に向かって延び、それらの先端部間の間隔を、ゲートボール用スティック２のシャフト２１とゲートボール用スティックヘッド２２とを連結するシャフト・ヘッド連結部２３の外径とほぼ同じか、わずかだけ大きくした一対のヘッド係止部用上壁１２ａ２，１２ａ２とから構成されている。
【００１６】
ここで、ヘッド係止部用上壁１２ａ２，１２ａ２の先端部は、それぞれ、中央の直線部１２ａ２１と、その左右両側（※図１では上下両側である。）に傾斜辺部１２ａ２２，１２ａ２２とを形成することにより、平面視、中央が最も幅が広く、左右両側に向かって幅を狭く形成することにより、一対のヘッド係止部用上壁１２ａ２，１２ａ２の先端部間の間隔は、ゲートボール用スティック２のシャフト２１が納まる中央程、幅が狭く、左右両側に向かってその間隔を大きくしている。
【００１７】
そのため、図５や図６に示すように、ゲートボール用スティックヘッド２２にシャフト２１を連結した状態でもヘッド係止部１２にゲートボール用スティックヘッド２２を係止し易くなり、ヘッド係止部１２にゲートボール用スティックヘッド２２を係止した後、シャフト２１側のシャフト・ヘッド連結部２３を回転させてゲートボール用スティックヘッド２２から取外すことも簡単に行うことが可能となる。
【００１８】
また、２つのボール係止部１３は、それぞれ、ボール３（の直径）よりも狭い幅で台座１１から立設する鉄やステンレス等の線状鋼からなる一対の略コ字状部材１３ａ，１３ａと、台座１１における一対の略コ字状部材１３ａ，１３ａの間に形成されたボール３の外径（直径）よりも径が小さいボール支持孔１３ｂとから構成されている。
【００１９】
そのため、図５や図６に示すように、２つのボール係止部１３では、それぞれ、ボール３の両側を一対の略コ字状部材１３ａ，１３ａで挟持して水平方向および上下方向に移動することを禁止する（抑える）一方、台座１１に形成したボール支持孔１３ｂによってもボール３が水平方向にずれることを禁止して、確実にボール３を着脱可能に保持することができる。
【００２０】
また、図１〜図４に示すように、台座１１の底面の４隅には、そのボール３が地面に着かないような高さを有するゴムや合成樹脂製等の複数の突部１４が設けられている。
【００２１】
以上説明したように、本実施形態のゲートボール用スティックヘッドおよびボールホルダー1では、台座１１上に、ゲートボール用スティック２のシャフト２１に対し着脱可能なゲートボール用スティックヘッド２２を着脱可能に係止するヘッド係止部１２と、ゲートボール用のボール３を着脱可能に係止するボール係止部１３とを備えたため、ゲートボール用スティック２のヘッドとボール３が互いに衝突することなく簡単に保管や運搬することができる。
【００２２】
その結果、コートに到着してからボール３が足りないとか、ゲートボール用スティックヘッド２２が見つからないとかを防止でき、とても有用である。
【００２３】
また、本実施形態のゲートボール用スティックヘッドおよびボールホルダー1では、図５や図６に示すように、台座１１上に、ゲートボール用スティックヘッド２２と、赤・白のボール３をバランス良く整然と係止できるので、見栄えおよびバランスが良い状態でゲートボール用スティックヘッド２２と赤・白合せて２個のボール３を保管や運搬することができる。
【００２４】
また、ゲートボール用スティックヘッド２２とボール３は、ゲートボール用スティック２のシャフト２１とは異なり、土などのコートの上を擦ったり、走ったり、ボール３に至ってはプレーヤーの靴で踏まれて汚れるが、本実施形態のゲートボール用スティックヘッドおよびボールホルダー1によれば、その汚れたゲートボール用スティックヘッド２２とボール３とをホルダー１にセット（係止）したまま水道の所で洗濯することも可能であり、用具の手入れの点でもとても有用で便利である。
【００２５】
また、ヘッド係止部１２を構成する一対のヘッド係止部用上壁１２ａ２，１２ａ２の先端部間の間隔は、ゲートボール用スティック２のシャフト２１とゲートボール用スティックヘッド２２とを連結するシャフト・ヘッド連結部２３の外径とほぼ同じか、わずかだけ大きくしているため、地面に置かれたホルダー１にセットしたゲートボール用スティックヘッド２２にシャフト２１を挿して連結してシャフト２１を立てたままの状態を保持したり、あるいはプレーの終了時にシャフト２１先端のゲートボール用スティックヘッド２２のヘッド係止部１２にセット（係止）してからシャフト・ヘッド連結部２３を回転させてシャフト２１を取り外すことも可能となり、これらの点でも、とても有用、便利なゲートボール用スティックヘッドおよびボールホルダー1を提供することができる。
【００２６】
また、本実施形態のゲートボール用スティックヘッドおよびボールホルダー1１は、ヘッド係止部１２は、ゲートボール用スティックヘッド２２の幅ないしはそれ以上の幅で台座１１から立設する一対のヘッド係止部用側壁１２ａ１，１２ａ１と、その一対のヘッド係止部用側壁１２ａ１，１２ａ１それぞれから内側に向かって延び、それらの先端部間の間隔が、ゲートボール用スティック２のシャフト２１の外径以上である一対のヘッド係止部用上壁１２ａ２，１２ａ２とから構成されているため、ゲートボール用スティックヘッド２２を確実に係止して保管できると共に、ヘッド係止部用側壁１２ａ１，１２ａ１によってボール３等がゲートボール用スティックヘッド２２の外周面（横周面）に衝突することも防止でき、ゲートボール用スティックヘッド２２の外周面（横周面）に余計なボール傷などを付けずに収納や保管することができ、とても有用である。
【００２７】
また、本実施形態のゲートボール用スティックヘッドおよびボールホルダー1は、ボール係止部１３は、ボール３よりも狭い幅で台座１１から立設する一対の略コ字状部材１３ａ，１３ａからなり、台座１１における一対の略コ字状部材１３ａ，１３ａの間には、ボール３の外径よりも径が小さいボール支持孔１３ｂが形成され、ボール支持孔１３ｂにボール３が嵌り、かる、ボール３の横方向は一対の略コ字状部材１３ａ，１３ａでも挟んで格納するため、保管時や運搬時にボール３が脱落しないように確実に収納や保管することができ、とても有用である。
【００２８】
また、本実施形態のゲートボール用スティックヘッドおよびボールホルダー1は、台座１１の底面の隅には、ボール支持孔１３ｂにボール３が置かれても、そのボール３が地面に着かないような高さの複数の突部１４が設けられているため、ホルダー1にボール３をセットしたまた地面やベンチ、棚等に置いても、ボール３が地面やベンチ、棚等に着かないので、ボール３を確実に収納や保管することができると共に、地面やベンチ、棚等を汚すことも無くなり、とても有用である。
【００２９】
尚、ゲートボール用スティックヘッド２２のシャフト・ヘッド連結部２３の外径が太い場合には、図７〜図９に示すように一対のヘッド係止部１２，１２のヘッド係止部用上壁１２ａ２，１２ａ２の先端部間の間隔を広げる一方、ゲートボール用スティックヘッド２２のシャフト・ヘッド連結部２３の外径が細い場合や、シャフト・ヘッド連結部２３が設けられてなくシャフト２１を直にゲートボール用スティックヘッド２２にネジ込む等の場合には、図１０〜図１１に示すように一対のヘッド係止部１２，１２のヘッド係止部用上壁１２ａ２，１２ａ２の先端部間の間隔が狭くなるようにヘッド係止部用上壁１２ａ２，１２ａ２の幅を変える等して調整すれば良い。
【符号の説明】
【００３０】
１  ゲートボール用スティックヘッドおよびボールホルダー
１１  台座
１２  ヘッド係止部
１２ａ１，１２ａ１  ヘッド係止部用側壁
１２ａ２，１２ａ２  ヘッド係止部用上壁
１３ａ，１３ａ  略コ字状部材
１３ｂ  ボール支持孔
１３  ボール係止部
１４  突部
２  ゲートボール用スティック
２１  シャフト
２２  ゲートボール用スティックヘッド
２３  シャフト・ヘッド連結部
３  ボール
【図１】
0003200712.tif 000003
【図２】
0003200712.tif 000004
【図３】
0003200712.tif 000005
【図４】
0003200712.tif 000006
【図５】
0003200712.tif 000007
【図６】
0003200712.tif 000008
【図７】
0003200712.tif 000009
【図８】
0003200712.tif 000010
【図９】
0003200712.tif 000011
【図１０】
0003200712.tif 000012
【図１１】
0003200712.tif 000013
【図１２】
0003200712.tif 000014